(57)【要約】【課題】照明器具を保持した状態で移動させる場合に施工性を向上させることができる架台を提供する。【解決手段】架台１は、第１支持部材２１と、第２支持部材２２と、第１取付部材４１と、第２取付部材４２と、回転部材５と、連結部６とを備える。第１支持部材２１と第２支持部材２２とは、それぞれの長手方向が互いに平行になるように間隔をあけて配置される。第１取付部材４１は、第１支持部材２１に支持される。第２取付部材４２は、前記照明器具を保持する。連結部６は、第２取付部材４２と第２支持部材２２とを着脱可能に連結する。回転部材５は、第１取付部材４１と第２取付部材４２とを連結する。回転部材５は、連結部６が第２取付部材４２と第２支持部材２２との連結を解除した場合に、第１取付部材４１に対して、前記軸部を軸として前記第２取付部材４２が回転するように構成される。【選択図】図３
2017208518.tif 000002
【特許請求の範囲】
【請求項１】
照明器具を保持する架台であって、
第１支持部材と、第２支持部材と、第１取付部材と、第２取付部材と、連結部と、回転部材とを備え、
前記第１支持部材は、長尺に形成され、
前記第２支持部材は、長尺に形成され、
前記第１支持部材と前記第２支持部材とは、それぞれの長手方向が互いに平行になるように間隔をあけて配置され、
前記第１取付部材は、前記第１支持部材に支持され、
前記第２取付部材は、前記照明器具を保持し、
前記連結部は、前記第２取付部材と前記第２支持部材とを着脱可能に連結し、
前記回転部材は、前記第１取付部材と前記第２取付部材とを連結し、
前記第２取付部材の回転の中心となる軸部を有し、
前記連結部が前記第２取付部材と前記第２支持部材との連結を解除した場合に、前記第１取付部材に対して、前記軸部を軸として前記第２取付部材が回転するように構成される
ことを特徴とする架台。
【請求項２】
前記連結部は、前記第２取付部材に設けられる第１連結部と、前記第２支持部材に設けられる第２連結部とを備え、
前記第２支持部材は、長手方向に沿って、複数の前記第２連結部を有し、
前記第１連結部は、前記複数の第２連結部の何れかに接続される、
ことを特徴とする請求項１に記載の架台。
【請求項３】
複数の前記第２取付部材を備え、
前記複数の第２取付部材は、前記第２支持部材の長手方向に並んで配置される
ことを特徴とする請求項１または２に記載の架台。
【発明の詳細な説明】
【技術分野】
【０００１】
本発明は、架台に関する。より詳細には、照明器具を保持する架台に関する。
【背景技術】
【０００２】
従来例として、特許文献１に記載の投光器を例示する。特許文献１に記載の投光器は、内部に光源を装着してなる投光器本体と、角度を調整し得る支持腕とを備える。特許文献１に記載の投光器は、水平方向の角度を調整し得るように構成されている。さらに、特許文献１に記載の投光器は、縦方向の角度を調整するように構成されている。
【先行技術文献】
【特許文献】
【０００３】
【特許文献１】特開平７−１５３３０４号公報
【発明の概要】
【発明が解決しようとする課題】
【０００４】
ところで、特許文献１に記載の投光器（照明器具）は、架台に取り付けられて使用される場合がある。そして、投光器が架台の一方側に寄せられて架台に配置されると、投光器の重心位置と架台の中心位置とが異なる場合がある。投光器の重心位置と架台の中心位置が異なると、投光器を取り付けた状態で架台を移動させる際、水平方向の一方側に重心が偏ってしまい、施工性が悪くなってしまう場合がある。
【０００５】
本発明は、上記事由に鑑みてなされており、照明器具を保持した状態で移動させる場合に施工性を向上させることができる架台を提供することを目的とする。
【課題を解決するための手段】
【０００６】
本発明の架台は、照明器具を保持する架台である。架台は、第１支持部材と、第２支持部材と、第１取付部材と、第２取付部材と、連結部と、回転部材とを備える。前記第１支持部材は、長尺に形成されている。前記第２支持部材は、長尺に形成されている。前記第１支持部材と前記第２支持部材とは、それぞれの長手方向が互いに平行になるように間隔をあけて配置されている。前記第１取付部材は、前記第１支持部材に支持されている。前記第２取付部材は、前記照明器具を保持する。前記連結部は、前記第２取付部材と前記第２支持部材とを着脱可能に連結している。前記回転部材は、前記第１取付部材と前記第２取付部材とを連結している。前記回転部材は、前記第２取付部材の回転の中心となる軸部を有する。前記回転部材は、前記連結部が前記第２取付部材と第２支持部材との連結を解除した場合に、前記第１取付部材に対して、前記軸部を軸として前記第２取付部材が回転するように構成されている。
【発明の効果】
【０００７】
本発明の架台は、照明器具を保持した状態で移動させる場合に施工性を向上させることができるという効果がある。
【図面の簡単な説明】
【０００８】
【図１】図１は本発明の一実施形態に係る照明器具が取り付けられた架台を示す正面図である。
【図２】図２は同上の照明器具が取り付けられた架台を示す側面図である。
【図３】図３は同上の架台の要部を示す側面断面図である。
【図４】図４は図３の一部省略した側面断面図である。
【図５】図５は同上の架台の要部を示す平面図である。
【図６】図６は同上の架台の要部を示す断面斜視図である。
【図７】図７は同上の架台の要部の別の状態を示す側面断面図である。
【図８】図８は同上の第２支持部材と器具取付部材を示す側面断面図である。
【発明を実施するための形態】
【０００９】
以下、本発明の実施形態に係る架台１について、図面を参照にして詳細に説明する。本実施形態の架台１は、図１に示すように、複数の照明器具８を保持する。本実施形態の架台１は、スタジアム、および学校の運動場などを照明するために設置される。なお、以下に説明する構成は、本発明の一例に過ぎず、本発明は下記の実施形態に限定されることはなく、この実施形態以外であっても、本発明にかかる技術的思想を逸脱しない範囲であれば、設計等に応じて種々の変更が可能である。なお、以下の説明で、特に断りが無い限り、図１において、上下方向および左右方向を規定する。さらに図１において、紙面に垂直な方向を前後方向とし、手前を前、奥を後と規定する。
【００１０】
本実施形態の架台１は、図１および図２に示すように、２つの第１支持部材２１と、２つの第２支持部材２２と、複数の第１脚部材３１と、複数の第２脚部材３２と、複数の器具取付部材４と、複数の回転部材５と、複数の連結部６とを有する。
【００１１】
複数の第１脚部材３１のそれぞれは、図１および図２に示すように、長尺の角筒３１０と、矩形平板状に形成される台座３１１と、三角形の板状に形成される４つのリブ３１２とを備える。複数の第１脚部材３１のそれぞれは、角筒３１０の長手方向が上下方向になるように配置される。複数の第１脚部材３１のそれぞれは、角筒３１０の下部の外面に４つのリブ３１２が溶接されている。さらに、複数の第１脚部材３１のそれぞれでは、角筒３１０の下端と４つのリブ３１２のそれぞれの下端が台座３１１に溶接されている。台座３１１は、図２に示すように、ボルト３１３などによって設置台に固定される。複数の第１脚部材３１は、左右方向において、等間隔になるように配置される。
【００１２】
複数の第２脚部材３２のそれぞれは、長尺の角筒３２０と、矩形平板状に形成される台座３２１と、三角形の板状に形成される４つのリブ３２２とを備える。複数の第２脚部材３２のそれぞれは、角筒３２０の長手方向が上下方向になるように配置される。複数の第２脚部材３２のそれぞれは、角筒３２０の下部の外面に４つのリブ３２２が溶接されている。さらに、複数の第２脚部材３２のそれぞれでは、角筒３２０の下端と４つのリブ３２２のそれぞれの下端が台座３２１に溶接されている。台座３２１は、ボルト３２３などによって設置台に固定される。複数の第２脚部材３２は、前後方向において、第１脚部材３１と間隔を開けて後方に配置される。さらに、複数の第２脚部材３２のそれぞれは、前後方向から見て、第１脚部材３１と重なるようにして、左右方向において、等間隔に配置される。
【００１３】
２つの第１支持部材２１のそれぞれは、図１、図３、および図４に示すように、長尺に形成される。また、２つの第１支持部材２１のそれぞれは、板金に曲げ加工を施すことで長手方向から見てＵ字形状になるように形成されている。２つの第１支持部材２１のそれぞれは、上壁２１１と、下壁２１２と、前壁２１３とを有する。また、２つの第１支持部材２１のそれぞれは、上壁２１１の内側と下壁２１２の内側と前壁２１３の内側とに囲まれた第１溝２１４を有する。２つの第１支持部材２１のそれぞれの上壁２１１には、図５に示すように、複数の第１ボルト挿通孔２１５が、互いに等間隔になるように左右方向に沿って形成されている。
【００１４】
２つの第１支持部材２１は、図１に示すように、長手方向が左右方向になるように上下方向に並んで複数の第１脚部材３１のそれぞれに取り付けられる。つまり、２つの第１支持部材２１のそれぞれは、複数の第１脚部材３１の長手方向（上下方向）に直交するようにして複数の第１脚部材３１のそれぞれに取り付けられる。言い換えると、２つの第１支持部材２１は、複数の第１脚部材３１のそれぞれの間を連結する。２つの第１支持部材２１のそれぞれは、複数の第１脚部材３１のそれぞれが第１溝２１４の開口側（後側）になるように複数の第１脚部材３１のそれぞれに取り付けられる。２つの第１支持部材２１のそれぞれは、例えば、Ｌ字形状に形成されたブラケットと、ボルトを使用して、複数の第１脚部材３１のそれぞれに固定される。
【００１５】
２つの第２支持部材２２のそれぞれは、図５に示すように、長尺に形成される。また、２つの第２支持部材２２のそれぞれは、図３に示すように、板金に曲げ加工を施すことで長手方向から見てＵ字形状に形成されている。２つの第２支持部材２２のそれぞれは、上壁２２１と、下壁２２２と、後壁２２３とを有する。また、２つの第２支持部材のそれぞれは、上壁２２１の内側と下壁２２２の内側と後壁２２３の内側とに囲まれた第２溝２２４を有する。２つの第２支持部材２２のそれぞれの上壁２２１には、図５に示すように、複数の第２ボルト挿通孔２２５が互いに等間隔になるように左右方向に沿って形成されている。
【００１６】
なお、一対の第２ボルト挿通孔２２５は、図５に示すように、後述する連結部６の構成要件である第２連結部６Ｂを構成する。
【００１７】
２つの第２支持部材２２のそれぞれは、図２に示すように、長手方向が左右方向になるように上下方向に並んで複数の第２脚部材３２のそれぞれに取り付けられる。つまり、２つの第２支持部材２２のそれぞれは、複数の第２脚部材３２の長手方向（上下方向）に直交するようにして複数の第２脚部材３２のそれぞれに取り付けられる。言い換えると、２つの第２支持部材２２は、複数の第２脚部材３２のそれぞれの間を連結する。２つの第２支持部材２２のそれぞれは、複数の第２脚部材３２のそれぞれが第２溝２２４の開口側（前側）になるように複数の第１脚部材３１のそれぞれに取り付けられる。２つの第２支持部材２２のそれぞれは、例えば、Ｌ字形状に形成されたブラケットと、ボルトを使用して、複数の第２脚部材３２のそれぞれに固定される。
【００１８】
第１支持部材２１と第２支持部材２２とは、それぞれの長手方向が互いに平行になるように前後方向に間隔を開けて配置される。また、第１支持部材２１と第２支持部材２２とは、第１溝２１４の開口と第２溝２２４の開口が互いに向かい合うようにして配置される（図３参照）。
【００１９】
架台１は、さらに、図１および図２に示すように、フレーム３３と、フレーム３４と、フレーム３５とを備える。
【００２０】
フレーム３３は、図１に示すように、板金などによって長尺に形成される。フレーム３３は、長手方向が左右方向となるように、複数の第１脚部材３１の間を連結する。また、フレーム３３は、下側の第１支持部材２１と設置台との間に位置するように、複数の第１脚部材３１の間を連結する。この結果、フレーム３３は、架台１を補強することができる。
【００２１】
フレーム３５は、図２に示すように、板金などによって長尺に形成される。フレーム３５は、第１脚部材３１と第２脚部材３２とを、それぞれの下側で連結する。この結果、フレーム３５は、架台１を補強することができる。
【００２２】
フレーム３４は、図１に示すように、板金などによって長尺に形成される。フレーム３４は、前後方向から見て長手方向が斜めになるように、一端が下側の第１支持部材２１に取り付けられ、他端がフレーム３３に取り付けられている。
【００２３】
架台１は、図１および図２に示すように、２つの第１支持部材２１と２つの第２支持部材２２のそれぞれが上下方向に配置されることで、２段構造に形成されている。複数の器具取付部材４のそれぞれは、第１支持部材２１および第２支持部材２２との間に配置される。さらに、複数の器具取付部材４のそれぞれは、隣り合う第１脚部材３１の間に配置される。
【００２４】
複数の器具取付部材４のそれぞれは、図３に示すように、第１取付部材４１と、第２取付部材４２とを備える。
【００２５】
第１取付部材４１は、図４および図５に示すように板金に曲げ加工を施すことで前後方向から見てＵ字形状に形成される。第１取付部材４１は、矩形平板状の底壁４１１と、底壁４１１の左右方向の両端から底壁４１１と直交する方向（下方向）に突出する一対の側壁４１２とで構成される。第１取付部材４１は、前側が第１支持部材２１の第１溝２１４に収納される。第１取付部材４１は、図４に示すように、開口が下側になるように、底壁４１１の上面４１１ａが第１支持部材２１の上壁２１１の下面２１１ｂと対向するように収納される。第１取付部材４１の底壁４１１には、第３ボルト挿通孔４１３が前側かつ左右方向の両端側のそれぞれに形成される。２つの第３ボルト挿通孔４１３と一対の第１ボルト挿通孔２１５とが上下方向に連通するように、第１取付部材４１は、第１支持部材２１の第１溝２１４に収納される。第１支持部材２１の上壁２１１の上面２１１ａからボルト７１１が一対の第１ボルト挿通孔２１５および第３ボルト挿通孔４１３に挿通される。ボルト７１１は、第１取付部材４１の底壁４１１の下面４１１ｂでナット７１２によって締め付けられる。このようにして、第１取付部材４１は、第１支持部材２１に固定される。
【００２６】
なお、２つの第１支持部材２１のそれぞれには、図５に示すように、複数の第１ボルト挿通孔２１５が長手方向に沿って形成されている。したがって、第１取付部材４１は、左右方向の所望の位置に調節され、第１支持部材２１に固定される。第１取付部材４１は、複数の第１ボルト挿通孔２１５のうち、一対の第１ボルト挿通孔２１５を用いて、第１支持部材２１に固定される。
【００２７】
第１取付部材４１は、図４および図５に示すように、底壁４１１の後側であって左右方向の中央付近に、回転部材５を固定するための一対の第４ボルト挿通孔４１４をさらに有する。一対の第４ボルト挿通孔４１４は、左右方向に並んで形成されている（図６参照）。第１取付部材４１では、一対の第４ボルト挿通孔４１４および回転部材５にボルト７２１が挿通される。ボルト７２１がナット７２２に締め付けられることで、底壁４１１の後側の下面４１１ｂに回転部材５が固定される。
【００２８】
第２取付部材４２は、図３および図５に示すように、長尺に形成される。第２取付部材４２は、板金に曲げ加工を施すことで長手方向から見てＵ字形状になるように形成される。第２取付部材４２は、底壁４２１と、底壁４２１の短手方向（左右方向）の両端から底壁４２１に直交する方向（下方向）に突出する一対の側壁４２２とを有する。第２取付部材４２は、図６に示すように、底壁４２１の前端の中央を切り欠いて形成される凹部４２３を有する。第１取付部材４１は、図４に示すように、底壁４１１の上面４１１ａの後側が第２取付部材４２の底壁４２１の下面４２１ｂの前側と対向するようにして第２取付部材４２に収納される。この場合、第１取付部材４１は、図６に示すように、第２取付部材４２の凹部４２３から底壁４１１の上面４１１ａの一部が露出するように第２取付部材４２に収納される。
【００２９】
第２取付部材４２は、図４および図６に示すように、長手方向において凹部４２３の後方に回転部材５を固定するための一対の第５ボルト挿通孔４２４を有する。一対の第５ボルト挿通孔４２４は、底壁４２１に左右方向に並んで形成される。第２取付部材４２は、底壁４２１の下面４２１ｂに平板形状に形成されるスペーサ４４を介して回転部材５が取り付けられる。
【００３０】
なお、スペーサ４４は、板厚が第１取付部材４１の底壁４１１の板厚と同じ厚さに形成される。スペーサ４４は、一対の第５ボルト挿通孔４２４と上下方向に連通する一対の第６ボルト挿通孔４４１を有する。
【００３１】
第２取付部材４２では、一対の第５ボルト挿通孔４２４と一対の第６ボルト挿通孔４４１と回転部材５とにボルト７３１が挿通される。ボルト７３１がナット７３２に締め付けられることで、第２取付部材４２に回転部材５が固定される。
【００３２】
第２取付部材４２は、さらに、図５に示すように、第５ボルト挿通孔４２４の後方であって、架台１の前後方向の中心位置１０との間に、照明器具８を取り付けるための一対の第７ボルト挿通孔４２５を有する。一対の第７ボルト挿通孔４２５は、底壁４２１に、前後方向に並んで形成される。
【００３３】
さらに、第２取付部材４２は、後側に後述する連結部６の第１連結部６Ａを取り付けるための一対の第８ボルト挿通孔４２６を有する。一対の第８ボルト挿通孔４２６は、底壁４２１に左右方向に並んで形成されている。
【００３４】
連結部６は、図５に示すように、第１連結部６Ａと第２連結部６Ｂとで構成される。第２連結部６Ｂは、上述した、器具取付部材４を第２支持部材２２に固定するために用いられる一対の第２ボルト挿通孔２２５である。第１連結部６Ａは、ブラケット６１と、一対のボルト６２１と、一対のボルト６２１に一対一で対応する一対のナット６２２と、一対のボルト６３１と、一対のボルト６３１に一対一で対応する一対のナット６３２とを備える。なお、一対のボルト６２１と一対のボルト６３１は同じ種類のボルトであることが好ましい。
【００３５】
ブラケット６１は、図３および図５に示すように、板金に曲げ加工を施すことで前後方向から見てＵ字形状に形成される。ブラケット６１は、矩形平板形状の底壁６１１と、底壁６１１の左右方向の両端から底壁６１１と直交する方向（下方向）に突出する一対の側壁６１２とで構成されている。ブラケット６１の底壁６１１には、図４に示すように、第２取付部材４２および第２支持部材２２に取り付けられるための一対の第９ボルト挿通孔６１３が形成されている。一対の第９ボルト挿通孔６１３のそれぞれは、前後方向に長尺な長孔に形成され、かつ底壁６１１に左右方向に並んで形成されている。
【００３６】
ブラケット６１は、前側が第２取付部材４２に収納される。つまり、ブラケット６１は、底壁６１１の上面６１１ａが第２取付部材４２の底壁４２１の下面４２１ｂと対向するようにして収納される。さらに、一対の第９ボルト挿通孔６１３と、第２取付部材４２の第８ボルト挿通孔４２６とが上下方向に連通するようにして、ブラケット６１は、第２取付部材４２に収納される。第２取付部材４２の底壁４２１の上面４２１ａから一対のボルト６２１が、一対の第８ボルト挿通孔４２６および一対の第９ボルト挿通孔６１３の前側に挿通される。一対のボルト６２１がブラケット６１の底壁６１１の下面６１１ｂで一対のナット６２２に締め付けられることで、ブラケット６１は、第２取付部材４２に固定される。
【００３７】
さらに、ブラケット６１は、後側が第２支持部材２２の第２溝２２４に収容される。ブラケット６１は、底壁６１１の上面６１１ａが第２支持部材２２の上壁２２１の下面２２１ｂと対向するようにして、第２支持部材２２に収納される。一対の第９ボルト挿通孔６１３と、第２支持部材２２の第２ボルト挿通孔２２５とが上下方向に連通するようにして、ブラケット６１は、第２支持部材２２の第２溝２２４に収納される。第２支持部材２２の上壁２２１の上面２２１ａから一対のボルト６３１が一対の第２連結部６Ｂ（第２ボルト挿通孔２２５）および一対の第９ボルト挿通孔６１３の後側に挿通される。一対のボルト６３１がブラケット６１の底壁６１１の下面６１１ｂで一対のナット６３２に締め付けられることで、ブラケット６１は、第２支持部材２２に固定される。
【００３８】
ここで、第２取付部材４２に保持される照明器具８について説明する。照明器具８は、図３に示すように、第２取付部材４２の底壁４２１の上面４２１ａに取り付けられる。通常、照明器具８は、前方に光が照射するように第２取付部材４２に取り付けられる。照明器具８は、パネルユニット８１と、光源ユニット８２と、支持部材８３と、器具本体８４とを備える。
【００３９】
光源ユニット８２は、ＬＥＤモジュール、放熱ブロック、レンズブロックなどを有する。ＬＥＤモジュールは、複数のＬＥＤ（発光ダイオード）と、複数のＬＥＤが実装されるプリント配線板とを有する。複数のＬＥＤはパネルユニット８１に向かって照射するように構成される。
【００４０】
器具本体８４は、矩形の箱形に形成され、光源ユニット８２を収容する。器具本体８４の前端には、パネルユニット８１が取り付けられている。
【００４１】
パネルユニット８１は、パネル８１１と、枠状に形成されてパネル８１１を取り付けるための枠体８１２を有する。パネル８１１は、例えば、アクリル樹脂やポリカーボネート樹脂などの透光性を有する合成樹脂材料、またはガラスなどの透光性材料で矩形平板状に形成される。パネル８１１は、後方に収容されるＬＥＤモジュールが発光する光を前方に放射するように構成される。
【００４２】
支持部材８３は、固定板８３１と、固定板８３１の左右両端から上向きに立ち上がる一対のアーム片８３２とを有する。固定板８３１は、中心に円形の固定孔が形成され、固定孔よりも後方に固定孔を中心とする半円弧状の長穴が形成されている。照明器具８は、固定孔および長穴のそれぞれにボルト７４１が挿通される。ボルト７４１は、第２取付部材４２の底壁４２１の下面４２１ｂでナット７４２に締め付けられる。このようにして、照明器具８は、第２取付部材４２の底壁４２１に固定される。
【００４３】
架台１は、図１に示すように、２段構造になっており、上段に取り付けられた複数の器具取付部材４と下段に取り付けられた複数の器具取付部材４のそれぞれに照明器具８が取り付けられている。複数の照明器具８のそれぞれは、図３に示すように、重心位置８０が前方に偏っている。ここで、図３および図５に示すように、架台１の前後方向の中心位置１０とする。照明器具８は、器具取付部材４の前側に取り付けられている。つまり、照明器具８は、図２に示すように、架台１の前側に取り付けられている。この場合、複数の照明器具８を取り付けた状態の架台１の重心は、中心位置１０よりも前方に位置している。架台１は、スタジアムおよび運動場などに取り付けられる場合、複数の照明器具８が取り付けられた状態で、例えばクレーンなどによって吊り上げられて移動される。照明器具８を取り付けている架台１がクレーンなどによって吊り上げられる場合、重心が前側に偏っているので、バランスが悪くなってしまう。したがって、架台１を移動させる際の施工性が悪くなってしまう場合がある。
【００４４】
そこで、照明器具８の重心位置８０が架台１の中心位置１０に近づくようにするために、図７に示すように、第２取付部材４２を第１取付部材４１に対して回転移動させる。言い換えると、照明器具８を取り付けた架台１をクレーンなどで移動させる場合、第２取付部材４２の長手方向が上下方向になるように、第２取付部材４２を回転移動させる。
【００４５】
回転部材５は、図４および図５に示すように、固定部５１と、可動部５２と、軸部５３とで構成される蝶番である。つまり、可動部５２は、軸部５３を軸として固定部５１に対して、回転可能に形成されている。固定部５１は、鋼板などの金属板によって、矩形平板状に形成される。可動部５２は、鋼板などの金属板によって、矩形平板状に形成される。軸部５３は金属によって円柱形状に形成され、固定部５１と可動部５２に設けられた軸孔に挿通される。
【００４６】
固定部５１には、一対の第１０ボルト挿通孔５１１が形成される。一対の第１０ボルト挿通孔５１１が第１取付部材４１の一対の第４ボルト挿通孔４１４と上下方向に連通するようにして、回転部材５の固定部５１は、第１取付部材４１の底壁４１１の下面に４１１ｂに配置される。回転部材５の固定部５１の下側から一対の第１０ボルト挿通孔５１１および一対の第４ボルト挿通孔４１４にボルト７２１が挿通される。ボルト７２１が第１取付部材４１の底壁４１１の上面４１１ａでナット７２２に締め付けられることで回転部材５の固定部５１は、第１取付部材４１に固定される。
【００４７】
可動部５２には、一対の第１１ボルト挿通孔５２１が形成される。可動部５２は、上面がスペーサ４４の下面に対向するようにして配置される。さらに、第２取付部材４２の底壁４２１の上面４２１ａからボルト７３１が一対の第５ボルト挿通孔４２４、一対の第６ボルト挿通孔４４１および一対の第１１ボルト挿通孔５２１に挿通される。ボルト７３１が回転部材５の可動部５２の下面でナット７３２に締め付けられることで回転部材５の可動部５２は、第２取付部材４２に固定される。このようにして、第１取付部材４１と第２取付部材４２は、回転部材５によって互いに連結される。
【００４８】
ここで、回転部材５の可動部５２が固定部５１に対して回転するために、ブラケット６１は第２支持部材２２から作業者によって取り外される。作業者は、図８に示すように、一対の第２ボルト挿通孔２２５と一対の第９ボルト挿通孔６１３とに挿通されている一対のボルト６３１を外す。作業者は、一対のナット６２２を緩めて、ブラケット６１を後端が第２取付部材４２に収納されるまで前方にスライドさせる。作業者は、ブラケット６１が第２取付部材４２から落ちないように、一対のナット６２２を締めなおす。このとき、第８ボルト挿通孔４２６と第９ボルト挿通孔６１３の後側が上下方向に連通するように、ブラケット６１が第２取付部材４２に収納されていることが好ましい。
【００４９】
このようにして、ブラケット６１は、第２支持部材２２に支持されない状態になるので、第２取付部材４２およびブラケット６１は、図７に示すように、第１取付部材４１に対して、回転部材５の軸部５３を軸として下側に回転する。第２取付部材４２の長手方向が上下方向になるまで、第２取付部材４２は回転移動する。
【００５０】
第２取付部材４２が図７に示すように回転することで、照明器具８の重心位置８０と架台１の中心位置１０とが近づく。つまり、照明器具８の重心位置８０が後方に移動する。照明器具８の重心位置８０が架台１の中心位置１０に近づくので、照明器具８のパネル８１１が上方に向いている状態で照明器具８を取り付けている架台１がクレーンなどによって吊り上げられる場合に架台１のバランスが良くなる。したがって、架台１は、移動させる際の施工性を向上させることができる。
【００５１】
なお、架台１の移動が完了した後、作業者は、第２取付部材４２を回転部材５の軸部５３を軸として第１取付部材４１に対して上向きに回転移動させる。そして、作業者は、一対のナット６２２を緩めて、ブラケット６１を後方にスライドさせる。作業者は、ブラケット６１の後部を第２支持部材２２の第２溝２２４に収納させる。作業者は、一対のナット６２２を一対のボルト６２１に締め付ける。さらに、作業者は、一対のボルト６３１を第２ボルト挿通孔２２５および第９ボルト挿通孔６１３に挿通させる。作業者が一対のボルト６３１がブラケット６１の底壁６１１の下面６１１ｂで一対のナット６３２を締め付けることで、ブラケット６１は、第２支持部材２２に固定される。
【００５２】
また、回転部材５は、図３に示すように、照明器具８の下方に配置されることが好ましい。言い換えると、第２取付部材４２は、照明器具８の下方に配置される回転部材５の軸部５３を軸にして、第１取付部材４１に対して回転する。このように、回転部材５が配置されると、作業者は、第２取付部材４２を通常の位置に戻す場合、より小さい力で移動させることができる。
【００５３】
本実施形態の架台１は、照明器具８を保持する架台である。架台１は、第１支持部材２１と、第２支持部材２２と、第１取付部材４１と、第２取付部材４２と、回転部材５と、連結部６とを備える。第１支持部材２１は、長尺に形成される。第２支持部材２２は、長尺に形成される。第１支持部材２１と第２支持部材２２とは、それぞれの長手方向が互いに平行になるように間隔をあけて配置される。第１取付部材４１は、第１支持部材２１に支持される。第２取付部材４２は、照明器具８を保持する。連結部６は、第２取付部材４２と第２支持部材２２とを着脱可能に連結する。回転部材５は、第１取付部材４１と第２取付部材４２とを連結する。回転部材５は、第２取付部材４２の回転の中心となる軸部５３を有する。回転部材５は、連結部６が第２取付部材４２と第２支持部材２２との連結を解除した場合に、第１取付部材４１に対して、軸部５３を軸として第２取付部材４２が回転するように構成される。
【００５４】
本実施形態の架台１は、上述のように構成されるので、照明器具８を保持した状態で移動させる場合に施工性を向上させることができる。
【００５５】
本実施形態の架台１において、連結部６は、第２取付部材４２に設けられる第１連結部６Ａと、第２支持部材２２に設けられる第２連結部６Ｂとを備えることが好ましい。第２支持部材２２は、長手方向に沿って、複数の第２連結部６Ｂを有することが好ましい。第１連結部６Ａは、複数の第２連結部６Ｂの何れかに接続されることが好ましい。
【００５６】
第１連結部６Ａは、ブラケット６１と、一対のボルト６２１と、一対のナット６２２と、一対のボルト６３１と、一対のナット６３２とを有することが好ましい。第２連結部６Ｂは、一対の第２ボルト挿通孔２２５であることが好ましい。
【００５７】
本実施形態の架台１が上述のように構成されると、左右方向における照明器具８の照射位置を変更することができる。
【００５８】
本実施形態の架台１は、複数の第２取付部材４２を備えることが好ましい。複数の第２取付部材４２は、第２支持部材２２の長手方向に並んで配置されることが好ましい。
【００５９】
本実施形態の架台１が上述のように構成されると、複数の照明器具８のそれぞれの重心位置８０が前方により偏っていても、バランスよく移動させることができ、より施工性を向上させることができる。
【符号の説明】
【００６０】
１  架台
２１  第１支持部材
２２  第２支持部材
４１  第１取付部材
４２  第２取付部材
５  回転部材
５３  軸部
６  連結部
６Ａ  第１連結部
６Ｂ  第２連結部
８  照明器具
８０  重心位置
【図１】
2017208518.tif 000003
【図２】
2017208518.tif 000004
【図３】
2017208518.tif 000005
【図４】
2017208518.tif 000006
【図５】
2017208518.tif 000007
【図６】
2017208518.tif 000008
【図７】
2017208518.tif 000009
【図８】
2017208518.tif 000010